(57)【特許請求の範囲】
【請求項１】
ハウジングと、前記ハウジングの上面に隣接した上方プレート及び前記ハウジングの下面に隣接した下方プレート、及び前記ハウジングの一方側に前記上方プレートと前記下方プレートとの間に形成された曲げ部分を有し、上に回路基板を支持して前記ハウジングの周りで折り曲げられた基板と、周縁で前記ハウジングと前記基板の前記上方プレートと前記下方プレートとの間に密封ビードを有する、密封モジュールを前記基板または前記回路基板に損傷を与えることなく開放する方法であって、
前記密封モジュールのハウジングの周縁のみを機械加工して前記密封ビードを露出することと、
前記モジュールの周縁の密封ビードを破壊することと、
前記曲げ部分の周りで前記基板の曲げを戻すことと、
前記上方プレートと前記下方プレートとの間から前記ハウジングを取り除くことと、を有することを特徴とする密封モジュールを開放する方法。
【請求項２】
前記機械加工することは、前記ハウジングをフライス盤で加工することを特徴とする請求項１に記載の密封モジュールを開放する方法。
【請求項３】
前記機械加工することは、数値制御されたフライス盤によって実行されることを特徴とする請求項２に記載の密封モジュールを開放する方法。
【請求項４】
前記機械加工することは、前記基板を機械加工することを防止するために制御されることを特徴とする請求項３に記載の密封モジュールを開放する方法。
【請求項５】
前記ハウジングは当該ハウジングの周縁から突出している多数の取り付けボスを有し、前記機械加工することは、多数の取り付けボスを除去することを特徴とする請求項１に記載の密封モジュールを開放する方法。
【請求項６】
前記破壊することは、前記ビードを通る溝を形成することを含むことを特徴とする請求項１に記載の密封モジュールを開放する方法。
【請求項７】
前記溝を形成することは、前記モジュールの周縁のビードに沿ってスロットノコギリを作動することを含むことを特徴とする請求項６に記載の密封モジュールを開放する方法。
【請求項８】
前記破壊することは、複数のくさびを前記モジュールの周縁のビードに挿入することを含むことを特徴とする請求項１に記載の密封モジュールを開放する方法。
【請求項９】
前記破壊することは、前記上方プレートと前記ハウジングとの間と、前記モジュールの周縁の場所で前記下方プレートと前記ハウジングとの間との前記密封ビードにくさびを同時に挿入することを含むことを特徴とする請求項８に記載の密封モジュールを開放する方法。
【請求項１０】
前記基板の曲げを容易に戻すために前記基板の曲げ部分の長さに沿った溝を形成することを含むことを特徴とする請求項１に記載の密封モジュールを開放する方法。
【請求項１１】
前記曲げを戻すことは、曲げブレーキによって実行されることを特徴とする請求項１に記載の密封モジュールを開放する方法。
【請求項１２】
前記曲げを戻すことは、前記曲げブレーキの手動の動作によって実行されることを特徴とする請求項１１に記載の密封モジュールを開放する方法。
【請求項１３】
前記曲げを戻すことは、前記曲げブレーキの動力的な動作によって実行されることを特徴とする請求項１１に記載の密封モジュールを開放する方法。
【請求項１４】
前記曲げを戻すことは、前記曲げ部分の周りで曲げを戻す間、前記上方プレートと下方プレートの周縁を支持することを含むことを特徴とする請求項１に記載の密封モジュールを開放する方法。
【請求項１５】
前記曲げを戻す方法は、前記下方プレートを固定装置に固定するように保持し、前記固定装置に対して上方プレートの動きを可能にするために前記上方プレートを支持することを含む請求項１４に記載の密封モジュールを開放する方法。
【請求項１６】
ハウジングと、ハウジングの上面に隣接した上方プレート及びハウジングの下面に隣接した下方プレート、前記ハウジングの一方側で前記上方プレートと前記下方プレートとの間に形成される曲げ部分を有し、上に回路基板を支持して前記ハウジングの周りに折り曲げられた基板と、前記モジュールの周縁で前記ハウジングと基板との間に密封ビードを有し、密封モジュールを再生産する方法であって、
前記密封モジュールの周縁のみでハウジングを機械加工して前記密封ビードを露出することと、
前記モジュールの周縁で前記密封ビードを破壊することと、
前記曲げ部分で前記基板の曲げを戻すことと、
一方の側が曲げ部分に隣接するように前記基板の前記上方プレートと下方プレートとの間に新しいハウジングを挿入することと、
前記基板の上方プレートと下方プレートの周縁に密封ビードを取り付けることと、
前記上方プレートと前記下方プレートが新しいハウジングに接触するまで曲げ部分の周りで前記基板を曲げることと、を有することを特徴とする密封モジュールを再生産する方法。
【請求項１７】
前記曲げを戻すことは、前記基板の曲げが戻る間、前記上方プレートと下方プレートとの周囲を支持することを含むことを特徴とする請求項１６に記載の密封モジュールを再生産する方法。
【請求項１８】
新しいハウジングを挿入する前に、
互いに所定の曲げ角度で上方プレートと下方プレートとを維持する形状の基板にハンドリング支持体を取り付けることと、
前記ハンドリング支持体を用い、前記基板を閉鎖固定装置まで搬送することと、
前記閉鎖固定装置内に前記基板を支持することと、
前記ハンドリング支持体を前記基板から除去することと、を有する請求項１６に記載の密封モジュールを再生産する方法。
【請求項１９】
曲げることにおいて、前記上方プレートと前記下方プレートが前記基板が互いに対してほぼ９０度を形成するまで前記基板の曲げを戻すことと、
前記ハンドリング支持体の所定の曲げ角度がほぼ９０度であり、
前記閉鎖固定装置に前記基板を支持することは、前記上方プレートと前記下方プレートが水平に関してほぼ４５度を向くように前記基板を支持することを含む請求項１８に記載の密封モジュールを再生産する方法。
【請求項２０】
ハウジングと、前記ハウジングの上面に隣接した上方プレート及び前記ハウジングの下面に隣接した下方プレート、前記ハウジングの一方側の前記上方プレートと前記下方プレートとの間に形成された曲げ部分を有し、上に回路基板を支持して前記ハウジングの周りで折り曲げられた基板と、前記上方プレートと前記ハウジングとの間で周縁方向に形成された上方溝と、前記下方プレートと前記ハウジングとの間で周縁方向に形成された下方溝と、を有する密封されたモジュールの曲げを戻すための固定装置であって、
前記固定装置は、前記下方溝で前記下方プレートの周縁に係合する固定された下方支持体と、
前記上方溝で前記上方プレートの前記周縁に係合する可動な上方支持体と、
前記下方支持体に対して前記上方支持体を回転可能に取り付ける回転機構と、を備え、
前記下方支持体及び前記上方支持体は、前記基板よりさらにかたく、
前記モジュールは、前記曲げ領域が回転機構に隣接するように前記下方剛性支持体と上方剛性支持体内に係合可能であり、
前記上方支持体は、前記上方プレートに力を加え、曲げ部分で前記基板の曲げを戻すために前記下方支持体に対して回転可能であることを特徴とする固定装置。
【請求項２１】
前記可動な回転機構に隣接し、前記モジュールを前記上方支持体及び前記下方支持体にモジュールを配置することができる第１の位置から前記上方支持体及び下方支持体から前記モジュールが除去されることを防止する第２の位置に可動である可動な停止部を有することを特徴とする請求項２０に記載の固定装置。
【請求項２２】
前記支持体を前記回転機構の周りで回転させるように前記可動な上方支持体に作動的に接続される駆動機構を有することを特徴とする請求項２０に記載の固定装置。
【請求項２３】
前記上方支持体に接続され、前記上方支持体を前記回転機構の周りで回転する機械的な作用を行うように構成されたレバーアームを有することを特徴とする請求項２０に記載の固定装置。
【請求項２４】
前記回転機構の周りで前記支持体を回転するために前記レバーアームに作動的に接続する駆動機構を有する請求項２０に記載の固定装置。
【請求項２５】
ハウジングと、前記ハウジングの上面に隣接した上方プレート及びハウジングの下面に隣接した下方プレート、前記ハウジングの一方側で上方ハウジングと下方ハウジングとの間に形成された曲げ部分を有し、上に回路基板を支持して前記ハウジングの周りに折り曲げられた基板と、前記上方プレートと前記ハウジングとの間の上方密封ビードと、前記下方プレートと前記ハウジングとの間の下方密封ビードと、を有する密封されたモジュールを開放する固定装置であって、
前記モジュールの周縁の一部に面する固定壁と、
プッシングブロックと、
前記固定壁と前記プッシングブロックとの間に接続され、前記固定壁から前記モジュールの周縁に向かって前記プッシングブロックを離すように移動させるように作動可能である駆動機構と、
前記プッシングブロックに取り付けられるとともに前記プッシングブロックが前記モジュールに向かって移動するとき、１つの密封ビードを貫通するように整列するくさびと、を有する固定装置。
【請求項２６】
前記プッシングブロックに取り付けられるとともに前記上方密封ビードを貫通するように整列された第１のくさびと、
前記プッシングブロックに取り付けられるとともに前記下方密封ビードを貫通するように整列される第２のくさびと、を有する請求項２５に記載の密封モジュールを開放する固定装置。
【請求項２７】
前記駆動機構は、前記プッシングブロックに結合されるとともに前記壁を通してねじ込まれて係合されるリードネジを有することを特徴とする請求項２５に記載の密封モジュールを開放する固定装置。
【発明の詳細な説明】
【０００１】
【発明の属する技術分野】
本発明は、電子制御エンジンとともに使用する電子制御モジュールの再製品化に関する。特に、本発明は密封されたモジュールを開放し、その内部部品の定期点検を行った後、そのモジュールを再び密封する装置及び方法に関する。
【０００２】
【従来の技術】
最近の内燃エンジンは、エンジンの作動を管理する電子制御の形を有する。大きな車の場合、広範な機能を果たす実質的なエンジン制御モジュールが提供される。例えば、モジュールは、電子装置を介してエンジン及び車の種々の電子部品に信号を提供する。
【０００３】
例えば、図１に示すように、エンジン制御モジュール（ＥＣＭ）１０は、ハウジング１１と、ハウジング１１から延びる上方取り付けボス１２と、サイドボス１３とを有する。この取り付けボスは、車またはエンジン室内にＥＣＭ１０を取り付ける手段を提供する。 ＥＣＭ１０は、ハウジング１１内に多数の電子部品とマイクロプロセッサを含む。また、一対のケーブルまたはハーネス１８，１９に係合する一対のコネクタ１７が提供される。これらのケーブル１８，１９は、ＥＣＭ１０の電子及びマイクロプロセッサ部品を種々のセンサ及びエンジン制御装置に連結する。
【０００４】
これらの電子制御またはエンジンモジュールは、基板に取り付けられた超小型電子部品を利用する。ＥＣＭ１０の１つの型式において、ＥＣＭ１０に取り付けられた多数の部品２１を含む回路基板２０が提供される。１つの特別な方法において、回路基板２０は、ポリイミドのような可撓性材料である。回路基板２０は、リジダイザ（基板）１５に取り付けられ、これは、エンジンの過酷な環境に耐えることができる比較的剛性の基板から形成されている。このＥＣＭによって、リジダイザ材料は、リジダイザを折り曲げ、曲げることができる特性を有する。１つの例において、このリジダイザはアルミニウムから形成される。
【０００５】
図２には、１つの特別のリジダイザ１５が示される。このリジダイザ１５は、上方プレート１６Ａと、下方プレート１６Ｂと、この２つのプレートの間にこのプレートと一体の中間曲げ領域１６Ｃとを含む。この下方プレート１６Ｂは、多数の接続穴２２を有し、これは、このコネクタ１７を下方プレートの外面に取り付ける多数のねじを受ける。曲げリリーフ特徴部分として以下に説明するようにハウジング１１のヒンジサポート部品に対応するために回路基板２０の曲げ領域１６Ｃに多数のスロット２３が形成されている。また、リジダイザ１５は、回路基板２０を保持及び支持するためにある特徴部分を有する。例えば、リジダイザ１５は、上方プレート１６Ａと下方プレート１６Ｂとの周囲に密封または整合リム２７を形成する。回路基板２０の外周は密封リム２７の輪郭に従う。好ましくは、回路基板２０は、互換性のある接着剤でリジダイザ１５に貼り付けられる。この密封リム２７は、以下述べるような理由によってリジダイザ１５の縁部から片寄っている。また、リジダイザ１５は、複数のハウジング取り付け穴２５を備えており、このハウジング取り付け穴２５は、ハウジング１１の周りにリジダイザ１５を閉鎖して密封モジュール１０を形成するために多数のネジを受けるように使用される。また、多数の取り付けボスレリーフ２４は、ハウジング１１のサイド取り付けボス１３の場所に対応するようにリジダイザ１５の縁部の周りに形成することができる。
【０００６】
ハウジング１１の詳細部分が図３に示されている。リジダイザ１５と同様に、ハウジングはアルミニウムのようなかたい金属から形成することが好ましい。ハウジング１１は、リジダイザ１５の半分に対応する寸法である。なぜならば、ハウジングは、上方プレート１６Ａと下方プレート１６Ｂとの間に配置されているからである。したがって、図３に示されている特徴部分は、ハウジング１１の両側に現れる。例えば、ハウジング１１は、ハウジングの外周に従う外側のリム３０を含む。また、内側のリム３１は、外側のリムから内側に片寄っているハウジングに形成されている。内側リム３１は、リジダイザ１５に形成される密封リム２７に対応する形状に対応する。
【０００７】
ハウジング１１は、多数のコネクタ穴３７を備えており、この穴３７は、回路基板２０とリジダイザ１５の対応する取り付け穴２２に整列している。多数の取り付け穴３８がハウジング１１を貫通しており、ネジ２６を受けるためにハウジング取り付け穴２５と整列している。ハウジング１１は、多数のヒンジ支持体３５を有し、この支持体３５は、回路基板２０に形成されたスロット２３と整列している。これらのヒンジ支持体３５は丸い形状が好ましく、リジダイザ１５の曲げ部分１６Ｃを折り曲げる表面を提供する。
【０００８】
図４に示すように、ハウジング１１は、リジダイザ１５の上方プレート１６Ａと下方プレート１６Ｂとの間に挟まれている。多数のコネクタ取り付けネジ３９がハウジング１１の取り付け穴３７及び下方プレート１６Ｂの穴２２を貫通しコネクタ１７に係合する。このモジュール１０の構造において、リジダイザ１５はハウジング１１の周りで曲げられている。このリジダイザ１５は、図５に最もはっきり示すようにハウジングの外側リム３０の内部に配置されるように構成される。リジダイザ１５がハウジング１５の周りに曲げられるとき、種々のリム、すなわちリジダイザ１５の密封リム２７と、ハウジング１１の外側及び内側リム３０，３１は、モジュール１０の周囲の３つの側面の周りを移動するビード溝３３を形成する。ビード溝３３は、リジダイザ１５の曲げ領域１６Ｃまで延びている必要はない。なぜならば、モジュール１０の側部または縁部はすでに閉鎖されているからである。リジダイザ１５の上方プレート１６Ａ及び下方プレート１６Ｂは、それらの最終的な位置まで曲げられる前に、接着剤または密封ビード４０は、ビード溝３３に沿って適用される。この密封剤は、リジダイザ１５をハウジング１１に結合する。好ましくは、ビード材料は、エンジン室で生じる高温に耐えながら金属を金属に結合することができる。１つの実施の形態において、ビードは、ＲＴＶ材料である。
【０００９】
図１ないし図５に示すＥＣＭ１０は、環境的に安全な密封モジュールを提供するが、モジュールを再生しなければならなくなったとき困難性が生じる。この再生処理は、回路基板２０に取り付けられた部品２１のいくつかが更新されるとき必要になる。他の場合には、部品の直接的な診断が必要になり、回路基板２０への接近が必要になる。再生がない場合には、ＥＣＭ１０は、単に廃棄されるか、scavangeされ、新しいモジュールと交換される。もちろん、この方法は、不必要に資源を浪費し、モジュールを得ることが困難な場合には作業の遅延を生じる。
【００１０】
その結果、上述したＥＣＭ１０のようなモジュールの再生が可能になる装置及び方法が必要になる。装置及び方法は、ディジタイザ１５、または回路基板２０及びその部品をこわすか、妥協することなくモジュールを開放することができなければならない。
【００１１】
【課題を解決するための手段】
これらのニーズに答えるために、再生用の密封モジュールを開放する装置と方法を考慮する。本発明の１つの側面において、ハウジングは、密封ビードを露出するためにその周囲が機械加工される。この機械加工作業は、リジダイザか、またはリジダイザに取り付けられた回路基板への衝突を防止するために正確に制御される。その代わり、ビード溝に接近するためにハウジングのみが機械加工される。本発明の方法の次のステップにおいて、密封ビードは、モジュールの周囲の周りで破断される。１つの実施の形態において、スロット・ノコギリは、リジダイザの上方プレートと下方プレートで密封ビードに沿って溝またはスロットを切断するためにビード溝で全周に沿って作動される。他の実施の形態において、くさびの配列がビード溝に駆動される。
【００１２】
密封ビードが破断され弱化すると、上方プレートと下方プレートは互いに曲げを戻すことができる。本発明の１つの側面において、密封モジュールを開放するためにベンディングブレーキ装置が変形される。好ましい実施の形態において、リジダイザの上方プレートと下方プレートの双方の外周は、リジダイザ及びその上に取り付けられた回路基板の完全性を維持するために全体が支持されている。その結果、本発明の他の側面において、曲げを戻す動作を容易にしながら、リジダイザのプレートを支持するために開放固定装置を使用する装置が提供される。この開放固定装置は、下方プレートで密封ビードに切断されたスロット内に適合するように形成されたフランジを有する固定ベース部分を含むことができる。このフランジは、密封ビードの溝の周囲の周りに延びている。
【００１３】
また、固定装置は、可動で回転可能な上方の剛性支持体を含み、この支持体は、上方プレートとハウジングとの間の密封ビードに形成されたスロットに係合するように構成されたフランジを含む。上方の周縁の支持体は、上方の支持体がリジダイザの曲げ領域の周りで回転することができるように、ベースまたは下方の支持体にヒンジによって取り付けられる。この固定装置は、一対の可動な停止部材を含み、この一対の停止部材は、開放固定装置にモジュールを挿入することができるように下方の周囲支持体の１つの位置と、停止部材が曲げを戻す処理中に開放固定装置からモジュールの放出を防止または停止する第２の位置との一対の可動停止部を有する。
【００１４】
１つの実施の形態において、開放固定装置は、手動で作動される。この方法によって、上方の周縁の支持体は、曲げ領域でリジダイザを曲げるように取り付けるヒンジを把持し、回転する適当な表面を提供する。他の実施の形態において、開放固定装置は、起動される。この特徴において、上方の周囲の支持体は、駆動機構または動力装置に接続されたレバーアームを有する。例えば、駆動機構は、シリンダピストンがレバーアームに接続される空気圧または空気シリンダを構成することができる。ピストンの往復動によって、レバーアームをヒンジ取り付けアームの周りで回転させ、これによって、上方の周縁支持体をヒンジの周りで回転させる。
【００１５】
開放固定装置に関して、下方プレートが剛性に保持され、力が上方プレートに加えられ、リジダイザが曲がり領域の周りで曲げ戻されるように非可動である。この固定装置を使用して上部及び下方プレートだけではなく、曲げ領域でリジダイザの完全性が維持される。モジュールを次第に開けるために上方周縁支持体に手動または自動で制御された力を加えることができる。好ましくは、この点で、ビードそれ自身がハウジングからリジダイザが分離するのに対してほとんど抵抗を与えないように密封ビードの完全性が機械加工されたスロットによって十分に破断される。
【００１６】
好ましい実施の形態において、上方プレートが下方プレートに関して９０度の角度を形成させるように曲げ戻される。この点で、ハウジングは、リジダイザの下方プレートにハウジングを保持する固定装置を除去することによって除去することができる。ハウジングは、放棄することができる。なぜならば、それは十分に機械加工できるからである。ハウジングが除去されることによって、密封リムに隣接するリジダイザの周縁から残留する密封ビード材料をきれいにすることができる。
【００１７】
このようにモジュールが開放されることによって、回路基板の部品を変更、交換及び／又は試験することができる。このリジダイザ及び回路基板は、新しいハウジングを受けるために準備される。本発明の他の特徴において、曲げ戻され開放されたリジダイザが開放固定装置から除去されるとき、リジダイザ及び特に上方プレート及び下方プレートの完全性を保存するためにハンドリング支持体が提供される。１つの実施の形態において、ハンドリング支持体は、ほぼ直角の結合部で接続された上方バー及び下方バーを有する。バーの各々は、リジダイザの１つのプレートの側縁を受ける溝を形成する。バーの各々は、固定装置を受ける開放部を有し、この固定装置は、リジダイザに形成された１つまたは複数の外側固定装置開口部と整列する。このハンドリング支持体は、９０度の向きで上方と下方のプレートを維持し、リジダイザ及びその上に取り付けられた回路基板の構造的な完全性を保持するためにリジダイザに接続される。
【００１８】
回路基板に対する作業が完了すると、リジダイザは、閉鎖固定装置までハンドリング支持体によって搬送される。ハンドリング支持体は、取り外すことができ、リジダイザは固定装置内に取り付けることができる。本発明の１つの実施の形態において、リジダイザは、上方及び下方プレートが水平方向に関して４５度の角度を形成するような向きを有する。新しいハウジングを上方及び下方プレートの間の空隙に挿入し、適当なプレートに固定することができる。新しい密封及び結合ビードを密封リムに隣接したビードの周縁の上方プレートと下方プレートの双方に加えることができる。閉鎖固定装置は、互いに向かって上方及び下方プレートを互いに押すように作動することができ、曲げ部分でリジダイザを曲げ、２つのプレートの間にハウジングが挟まれる。この閉鎖固定装置は、所定位置に保持することができ、密封または結合ビードを硬化することができるように十分な時間ハウジングの周りでリジダイザが固定される。このステップの完了時に、新しい制御モジュールは、特定の車内に取り付けるために利用可能である。
【００１９】
【発明が解決しようとする課題】
本発明の１つの目的は、密封電子モジュールの再生用の装置及び方法を提供することである。本発明のさらに他の目的は、交換しなければならないモジュールの部品の数を最小限にしながら、モジュールの回路部品の完全性を維持する特徴部分によって達成される。
【００２０】
本発明は、密封モジュールを使用する装置に大きな利点を提供する。なぜならば、エラーが生じ、または装置の更新が必要になったときモジュールはもはや廃棄する必要がないからである。他の利点は、再生方法が複雑な機械または固定装置を必要としないということであり、これは、密封制御モジュールの大量生産のために容易に安く再生ステーションを提供することができることを意味する。
【００２１】
これらと他の目的及び利点は、次の詳細な説明及び添付図面を考慮することによって明らかになる。
【００２２】
【発明の実施の形態】
以下、本発明の一実施の形態を図面を参照して詳細に説明する。
【００２３】
本発明の原理の理解を促進する目的で、図面に示された好ましい実施の形態に対する参照がなされ、この内容を説明するために特別の言語が使用される。それにもかかわらず、本発明の範囲を制限する意図はなく、図示した実施の形態におけるこのような変更及び改造、及び図示した本発明の原理の用途は、本発明が関連する当業者によって考慮される。
【００２４】
本発明の１つの側面において、図６Ａに示す密封モジュールがハウジング１１を除去することができるように操作される。図６Ａに示すように、ハウジング１１の外側リム３０は、上方プレート１６Ａ及び下方プレート１６Ｂの縁部（図示せず）を保護する。この図面に示す特別のＥＣＭ１０によって、ハウジングは一対のサイド取り付けボス１３及び上方取り付けボス１２を含み、これらのボス１２，１３は、エンジン室内にモジュールを支持するために取り付けボルトを受けるように形成されている。
【００２５】
本発明の次のステップにおいて、ハウジングは、ハウジングの周縁で外側の特徴部分を除去するために機械加工される。さらに詳細には、ハウジング１１は、外側リム３０と、サイド取り付けボス１３及び上方取り付けボス１２を除去するために機械加工される。この機械加工することの目的は、リジダイザ１５の周縁の側縁、及び上方プレート１６Ａとハウジング１１との間、及び下方プレート１６Ｂとハウジングとの間に配置された密封ビードを露出することである。好ましくは機械加工することは、フライス盤を使用して実行される。最も好ましくは、リジダイザ１５に影響を与えることなくハウジングの正確な切断を行うために数値制御されたフライス盤が使用される。フライス盤による加工工程は、図６Ｂに示すモジュール１０′の３つの側面にのみ生じることを理解しなければならない。モジュール１０′の後側は、リジダイザ１５の曲がり領域１６Ｃによって閉鎖される。目的はリジダイザの完全性を維持することなので、後側には機械加工は行われない。
【００２６】
図６Ｃに示した次の段階において、上方プレート及びハウスと下方プレート及びハウジングとの間の周囲に沿っている密封ビード４０が双方破壊される。好ましい実施の形態において、これら２つのビードは、ビード材料に沿ってリジダイザ１５とハウジング１１との間でスロットまたは溝４９を切断するためにスロットノコギリを使用することによって破壊される。好ましくは、スロットノコギリは、リジダイザ１５とハウジング１１の２つのプレートとの間のビード溝３３（図５参照）の深さ及び幅に対応する幅と深さを有する。再び述べるが、スロットノコギリは、リジダイザ１５またはこのリジダイザ１５に取り付けられた回路基板２０に損傷を与えない正確な切断を保証するように数値制御することができる。このステップの目的は、密封ビード４０を破壊し、リジダイザ１５の曲げを容易にすることである。
【００２７】
本方法のある実施の形態において、リジダイザ１５の厚さは、曲げを戻す処理をさらに困難にし、少なくとも薄いプレートの場合よりも大きな力を必要とする。したがって、これらの実施の形態において、図６Ｄに示すようなリジダイザ１５の曲げ領域１６Ｃで他の溝５０が形成される。この溝５０は、上方プレート１６Ａに力が加わったとき、一種のヒンジリリーフとして作用する。この場合、この力は、上方プレート１６Ａをヒンジ溝５０の周りで回転させる。ヒンジ溝５０は、リジダイザ１５の厚さを完全に貫通してはならないことを理解すべきである。好ましくは、溝は、曲げ領域１６Ｃでリジダイザ１５の厚さの約１／４の深さを有する。リジダイザ表面の中断は、下方プレート１６Ｂに関して上方プレート１６Ａを曲げるに必要な力の量における測定可能な減少がある。
【００２８】
図６Ｂないし図６Ｄに示す処理ステップが完全に完了すると、変形されたＥＣＭ１０′は、図７に示すように現れる。図示した実施の形態において、リジダイザ１５は、サイド取り付けボス１３とハウジング１１とを受け入れるために上方プレートと下方プレートの側部に形成されたリリーフノッチ２４を有する。図６Ｂに示すような機械加工することにおいて、これらの取り付けボスが除去され、図７に示すように露出するリジダイザ１５のリリーフノッチ２４が残る。
【００２９】
モジュール１０′は、図８ないし図１０に示すような固定装置６０のような開放固定装置内に配置することができる。固定装置６０の主な機能は、リジダイザが曲げ領域１６Ｃの周りで回転するか、曲げを戻すことができるようにしながら、リジダイザ１５を支持することである。上方プレート１６Ａ，１６Ｂが曲がらず、またはたわまないことを保証するために曲げを戻す処理を維持することが重要である。リジダイザ自身は、このたわみに容易に耐えることができるが、基板に存在する部品とハンダ付け接合点が基板に存在するとき、どのようなたわみ及び曲げにも耐えることができない。下方周縁支持体６３は、その周縁の３つの側面にフランジ６４を形成する。このフランジ６４は、上方プレートと下方プレートとリジダイザとの間に形成されたビード溝３３の厚さと深さにほぼ等しい厚さと深さを有する。要するに、フランジ６４は、密封リム２７に直接隣接したリジダイザ１５の周縁を完全に支持するような寸法である（図２参照）。
【００３０】
また、開放固定装置６０は、同様の形状のフランジ６６を有する上方の周縁支持体６５を有する。下方周縁支持体と同様に、上方周縁支持体及びフランジ６６は、リジダイザ１５が密封リム２７に直接隣接して支持されるように構成されている。
【００３１】
上方周縁支持体６５は、ヒンジ取り付け部分６９によってベース６１または下方周縁支持体６３に取り付けられる。１つの実施の形態において、上方周縁支持体は、ヒンジピン７１によって下方周縁支持体のヒンジ取り付け部分６９に係合する回転ボス７０を含む。したがって上方周縁支持体６５は、固定された下方周縁支持体６３に対して回転または旋回するように取り付けられている。
【００３２】
開放固定装置６０は、ＥＣＭモジュール１０′を矢印Ｄの方向に挿入することができるように形成されている。モジュールが固定装置内に配置され、上方の周縁支持体６５によって曲げ力が加えられるとき、モジュールが固定装置から戻らないようにする手段が必要になる。したがって、１つの実施の形態において、曲げ領域１６Ｃでリジダイザ１５に接触するように配置される一対の停止部材７４が含まれる。好ましくは、停止部７４は、図８に示すような固定装置６０へ開口部を固定する位置から停止部７４が停止部７４が密封モジュールを挿入することができるように開口部を出た位置に移動することができるように調整可能である。１つの特定の実施の形態において、停止部７４は、対応する調整スロット７５内に摺動可能に取り付けることができる。調整スロットの種々の形状は、固定装置６０の開口部を横断するように移動する構成以外の構成に調整することができる。例えば、このスロットは、矢印Ｄの方向、その間のいかなる角度も向くことが可能である。好ましくは、停止部７４は公知の構造であり、この公知の構造では、停止部を移動することが望ましいときスロットに関して停止部をゆるめることができ、次にスロット７５に関して停止部の位置を固定するように再び締め付けることができる。
【００３３】
開放固定装置６０内のモジュール１０′の位置は、図１０に示されている。図面に示すように、モジュール１０′は、モジュール１０′が開放固定装置６０に摺動し、上方プレート１６Ａが上方周縁支持体６５によって支持されている。下方プレートは、図面には見えないが、下方周縁支持体６３の下に配置されている。図１に示すようにモジュール１０′が下方プレート１６Ｂの下に突出しているコネクタを有する場合において、下方周縁支持体６３は、コネクタを受ける空隙を提供するためにベース６１に対して片寄っている。モジュール１０′が開放固定装置６０内に取り付けられ、力Ｐが上方周縁６５に加えられ、固定された下方支持体６３に対して上方支持体６５を回転する。この回転が連続して行われるとき、リジダイザ１５の上方プレート１６Ａ は、下方プレートに関して最終的にハウジング１１に関して次第に曲げ戻されるように回転する。
【００３４】
好ましい実施の形態において、上方周縁支持体６５は、上方プレート１６Ａが下方プレート１６Ｂに関してほぼ９０度を形成するまで回転する。この向きにおいて、ハウジング１１及び特にコネクタ取り付けネジ３９は、きれいに露出される。ハウジング１１は、取り付けネジ３９並びにハウジング１１を下方プレート１６Ｂに固定するために使用される他の固定装置を除去することによってモジュール１０′から除去することができる。ハウジング１１が除去されると、リジダイザ１５に取り付けられた回路基板に取り付けられた部品の修理、交換または試験を可能にすることができるように露出される。
【００３５】
図１０に示す実施の形態において、力１０は、手によって加えられる。リジダイザ１５の曲げを戻すために加えられる手の力の大きさは、上方周縁支持体６５によって提供されるリジダイザ及びレバーアームの厚さに依存する。上方支持体は、回転始点を改良するために支持体に向かって突出する手で係合可能な特徴部分を含む。
【００３６】
他の実施の形態において、開放処理は自動化されるか動力を与えられる。この実施の形態において、図１１に示すような開放固定装置８０は、ベース８１と、下方周縁支持体８３と、上方周縁支持体８５とを有する。周縁支持体８３及び８５の各々は、各フランジ８４及び８６を含み、図８に示すような支持体６３及び６５と同様な形状をとる。図１１に示すように、下方周縁支持体８３は、コネクタ１７を受ける空隙を提供するために隆起するように形成される。下方周縁支持体８３は、取り付け組立体９３によってベース８１に固定することができる。取り付け組立体は、ボルト及びフランジ構成、または支持体８３を固定するように取り付ける他の公知の手段からなる。
【００３７】
前の実施の形態のように、上方周縁支持体８５は、下方支持体に対して回転可能に取り付けられる。したがって、下方支持体８３は、ヒンジ取り付け部分８９を含むことができ、上方支持体８５は、回転ピボットボス９０を含むことができる。ヒンジピン９１は、２つの支持部分を回転可能に接続することができる。さらに、開放固定装置８０は、停止組立体９５を含み、この停止組立体９５は、髷を戻す力をリジダイザ１５に加えるときにモジュールが後退することを防止するように設けられる。
【００３８】
開口固定装置６０と対比して、開放固定装置８０は、上方周縁支持体８５から外側に延びるレバーアーム９７を含む。好ましい実施の形態において、レバーアーム９７は、ベース８１に形成されたスロット９８を貫通して下方に延びている。ベース８１の下に駆動機構９９が支持されており、レバーアーム９７に接続されている。矢印Ｔの方向への駆動機構９９の移動は、矢印Ｒの方向への支持体８５の回転を生じる。
【００３９】
この駆動機構を用いることによって、手によってリジダイザを操作すること、または曲げを戻す操作は必要ではなくなる。この駆動機構９９は、往復動駆動軸１００を備えた空気または液圧シリンダのような種々の形態をとることができる。ハウジング取付部分８９に対して上方周縁支持体８５を回転することができる他の動力で駆動される機構も考慮することができる。例えば、電気モータ、ラック及びピニオン構成、カム機構、または他の駆動機構が考慮される。さらに、もっとも好ましい実施の形態はレバーアーム９７を考慮するが、駆動機構は、上方周縁支持体８５または回転ボス９０に取り付けることができる。保持すべき重要な特徴は、制御された曲げを戻す力を上方周縁支持体８５、結果的に開口固定装置８０に取り付けられたリジダイザ１５に加える能力である。上方プレート１６Ａが固定された下方プレート１６Ｂに対して好ましい角度に到達するとき、駆動機構９９が停止するように、機構の動作を制御する装置を含むことが好ましい。
【００４０】
図１２を参照すると、停止部組立体９５が示されている。特に、停止部組立体は、ベース８１に固定される停止部取り付け部材１０１を含む。好ましくは、停止部取り付け部材は、開放固定装置８０にモジュールを挿入する空隙を形成するために十分に低い高さを有する。また、各停止組立体は、スロット１０３を形成する可動な停止部１０２を含む。クランプネジ１０４は、停止取付部１０１とスロット１０３を貫通する。クランプネジ１０４を緩めることによって、可動な停止部１０４をリジダイザ１５の曲げ領域１６Ｃと接触することができるようにする。可動停止部が所定の位置にあるとき、クランプネジを締め付け、モジュールを開放固定装置内にしっかりと固定することができる。好ましくは、可動停止部１０２は、ヒンジ溝５０を横断せず、曲げ領域１６Ｃの周りで上方プレート１６Ａの曲げを戻すことを妨げないように配置される。
【００４１】
前述したように、リジダイザ１５は、上方プレート１６Ａが、図１３に示すように下方プレート１６Ｂに対して９０度の角度を形成するように曲げ戻されるか、開放されることが好ましい。この形状において、ハウジングは容易に除去することができ、リジダイザに取り付けられた回路基板２０に容易に接近することができる。リジダイザ１５は、曲げを戻す処理の間、回路基板２０とその取り付け部品に応力を与えることを避けるために製造処理中に曲がらないかたわまないことが重要である。したがって、本発明の他の特徴において、一対のハンドル支持体１１０が戻した向きでリジダイザ１５を維持するために提供される。上方バー１１１及び下方バー１１２の穴１１８に多数の取り付けネジが貫通している。この取り付けネジ１１７は、ハウジング取り付け穴２５のようなリジダイザ１５にすでに形成されている開口部に整列する。好ましくは、バー１１１，１１２の各々を貫通する穴１１８の一端は、取り付けネジ１１７が取り扱い支持体１１０内に直接ねじ込まれ固定することができるようにねじ込まれる。また、このハンドリング支持体は、リジダイザ１５の曲げ領域１６Ｃを受けるために直角の接合部分で形成された曲げリリーフ１１９を含む。
【００４２】
リジダイザ及び回路基板はハンドリング支持体１１０によって支持することができるが、モジュール回路に修理、交換または診断が必要な場合はいつでもこの技術を実施することができる。このハンドリング支持体１１０は、図１５に示すような閉鎖固定装置１２０のような部材に開放したリジダイザを搬送するために使用することができる。この閉鎖固定装置において、ハウジング１１を開放したリジダイザ１５に加えることによって新しいＥＣＭがつくられる。１つの実施の形態において、閉鎖固定装置は、開放したリジダイザを支持する固定取付け部分１２２を含む。好ましくは、固定取付部分は、水平に対してほぼ４５度で開放したリジダイザ１５の上方プレート１６Ａを最初に支持するように配置された可動な支持プレート１２３を含む。また、固定取付部材１２２は、リジダイザ１６Ｃの曲げ領域１６Ｃが休止する支持体凹所１２４を含む。閉鎖固定装置１２０の第２の部品は、可動な支持体１２６である。可動な支持体１２６は、水平方向に対してほぼ４５度の角度でリジダイザの下方プレート１６Ｂを支持するために配置された支持面１２７を有する。この可動な支持体１２６は、矢印ｄの方向で移動するように構成されるか、動力が与えられる。
【００４３】
閉鎖固定装置１２０の動作におけるように、リジダイザ１５の２つのプレートの間にハウジング１１を配置することができる。この処理におけるいくつかの点において、上方プレート１６Ａ，１６Ｂの露出した周囲に沿って結合ビード１３０をつけるために接着剤分配ノズル１２９が使用される。この接着剤または密封ビードは、ＲＴＶビードまたは適当な金属対金属接着剤である。結合ビードが接着されると、ハウジング１１は矢印ａの方向に回転し、上述したように下方プレート１６Ｂに取り付けられる。
【００４４】
２つの半分の部分またはプレート１６Ａ，１６Ｂは、可動な支持体１２６の動きによって一緒に押される。さらに、支持プレート１２３は、上方プレート１６Ａと下方プレート１６Ｂの双方が矢印Ｃの方向に互いに向かって移動することができるように固定取り付け部材１２２に回転可能に接続することが好ましい。この支持プレート１２３は、別々に駆動され、可動な支持体１２６の移動が支持プレート１２３が回転するように連結部材によって可動支持体１２６に接続することができる。可動支持体１２６の動きは、リジダイザ１５がハウジング１１にかたく結合されるときそれが停止するように調整することができる。新しく閉鎖されたモジュールは、密封ビードを硬化することができるように所定の時間にわたって閉鎖固定装置１２０内に保持することができる。ビードが硬化する時間が経過した後、新しく密封されたモジュールは、固定装置１２０から除去され車に設置することができる。
【００４５】
本発明の好ましい実施の形態において、密封ビードは、図６Ｃに示すように機械処理において弱くされるか破壊される。ビードは、図１６に示す開放固定装置１４０によって使用されるような一連のくさびを使用して破壊することができる。固定装置１４０は、一対の側壁１４０と、前壁１４３と、後壁１４４とを含む。壁の各々は、ベースに固定するように取り付けることが好ましい。この実施の形態によれば、一組のくさび１４６は、上方プレート１６Ａとリジダイザ１５との間、及び下方プレート１６Ｂとハウジング１１との間の密封ビード４０と整列するように配置することができる。くさびは、プッシングブロック１４７に取り付けることが好ましい。リードネジ１４８がプッシングロッド１４７に取り付けられることが好ましく、側壁１４２と前壁１４３との内部の開口部１４９を通るようにねじ込むことができる。
【００４６】
図１６に示すように、２つのリードネジ１４８は、側壁内に配置されるが、３つのリードネジは前壁に配置される。くさびは、それらの前縁で傾斜するように密封ビード４０を貫通するように構成される。リードネジ１４８の回転は、各プッシングブロック１４７を密封モジュールに向かって移動させる。リードネジをさらに回転することによって、くさび１４６の各々を密封ビード４０に押し、それによってビードを破壊する。図１６に示すように、リードネジ１４８は、手で回転するように構成される。しかしながら、ネジは、一連の回転モータによって同時に駆動されることも可能である。
【００４７】
本発明を図面に示し、詳細に説明したが、これらは制限されることを目的とするものではない。一例として図示し説明したものであり、本発明の範囲内に入るものは保護すべきものである。例えば、開放固定装置６０は、リジダイザに係合するように変形された公知のベンディングブレーキを構成することができる。さらに、開放固定装置は、基板１５が開放処理の間ワーピングをさけるために十分にかたいときには上方プレート１６Ａと下方プレート１６Ｂの制限された周縁支持体を提供するために変形することができる。
【図面の簡単な説明】
【図１】エンジンの制御モジュール及び車の種々の部品への接続部品の側面図である。
【図２】図１に示したエンジン制御モジュールの１つの部品を形成するリジダイザの平面図である。
【図３】図１に示した制御モジュールを形成するために図２に示すリジダイザの部分の間に挟まれたハウジングの平面図である。
【図４】モジュールを最終的に閉鎖する前に、図１に示すエンジン制御モジュールの正面図である。
【図５】図１及び図４に示すようなエンジン制御モジュールの一方の側の断面図である。
【図６】図６Ａ，Ｂ，Ｃは、前記モジュールを開放するために本発明の３つの段階でのエンジン制御モジュールの正面図である。図６Ｄは、前記方法における追加のステップの結果、前のステップのように機械加工される密封モジュールの斜視図である。
【図７】図６Ａないし図６Ｄに示す連続したステップが完了した後、密封モジュールの斜視図である。
【図８】本発明の１つの側面によって開放固定装置の後方斜視図である。
【図９】図８に示す開放固定装置の側面図である。
【図１０】固定装置内に取り付けられた制御部分を備えた図８及び図９に示した開放固定装置の正面図である。
【図１１】固定装置が起動する本発明による開放固定装置の他の実施の形態の側面図である。
【図１２】密封モジュールの曲げ領域を支持するための停止部を示す図１１に示す開放固定装置の後方斜視図である。
【図１３】曲げ戻されてハウジングが除去された後、リジダイザが一対のハンドリング支持体によって維持されているリジダイザの前方斜視図である。
【図１４】図１３に示した１つのハンドリング支持体の側面図である。
【図１５】閉鎖する前に新しいハウジング及び新しい密封ビードを挿入する前に閉鎖固定装置内に取り付けられた開放するか曲げ戻されたリジダイザの側面図である。
【図１６】くさびの配列を使用するリジダイザ及びハウジングの周縁の密封ビードを示す本発明の他の実施の形態の正面図である。
【符号の説明】
１０  エンジン制御モジュール
１１  ハウジング
１２  上方取り付けボス
１３  サイドボス
１５  リジダイザ（基板）
１７  コネクタ
１８，１９  ケーブル
２０  回路基板
２１  部品
２２  接続穴
２３  スロット
２６  ねじ
３１  内側リム
３３  ビード溝
３５  ヒンジ支持体
４０  密封ビード
【図１】
0004166411.tif 000002
【図２】
0004166411.tif 000003
【図３】
0004166411.tif 000004
【図４】
0004166411.tif 000005
【図５】
0004166411.tif 000006
【図６】
0004166411.tif 000007
【図７】
0004166411.tif 000008
【図８】
0004166411.tif 000009
【図９】
0004166411.tif 000010
【図１０】
0004166411.tif 000011
【図１１】
0004166411.tif 000012
【図１２】
0004166411.tif 000013
【図１３】
0004166411.tif 000014
【図１４】
0004166411.tif 000015
【図１５】
0004166411.tif 000016
【図１６】
0004166411.tif 000017